(57)【要約】【課題】端子を介してプリント基板側へ伝わる騒音の伝播を有効に阻止出来ると共に、安価にリレー用ゴムキャップを提供することを目的とする。【解決手段】電磁リレー本体を収容したハウジングと、前記ハウジングの下面から突出した端子と、前記端子が接続されるプリント基盤と、前記ハウジングを覆うゴムキャップとより成るリレー用ゴムキャップにおいて、前記ゴムキャップが、前記ハウジングの下面と前記プリント基盤の間に相互に密着した状態で配置されると共に、前記端子が貫通する貫通孔を形成した底部と、前記底部の周縁から前記ハウジングの側面全体を覆う筒状部とより構成され、前記貫通孔が前記端子に対し締め代を持って接していることを特徴とする。【選択図】図２
2014120358.tif 000002
【特許請求の範囲】
【請求項１】
電磁リレー本体を収容したハウジング（１）と、前記ハウジング（１）の下面（１１）から突出した端子（１２）と、前記端子（１２）が接続されるプリント基盤（２）と、前記ハウジング（１）を覆うゴムキャップ（３）とより成るリレー用ゴムキャップにおいて、
前記ゴムキャップ（３）が、前記ハウジング（１）の下面（１１）と前記プリント基盤（２）の間に相互に密着した状態で配置されると共に、前記端子（１２）が貫通する貫通孔（３１１）を形成した底部（３１）と、前記底部（３１）の周縁から前記ハウジング（１）の側面（１３）全体を覆う筒状部（３２）とより構成され、前記貫通孔（３１１）が前記端子（１２）に対し締め代を持って接していることを特徴とするリレー用ゴムキャップ。
【請求項２】
前記筒状部（３２）が前記ハウジング（１）の前記側面（１３）と密着していることを特徴とする請求項１記載のリレー用ゴムキャップ。
【発明の詳細な説明】
【技術分野】
【０００１】
本発明は、リレー用ゴムキャップに関する。
また、本発明は、例えば、静音化を必要とする車載用や防犯用等に使用されプリント基板に搭載される電磁リレーに使用されるリレー用ゴムキャップに関する。
【背景技術】
【０００２】
従来、この種のリレー用ゴムキャップが使用される電磁リレーの構造は、通常、鉄芯に巻装されたコイルを励磁することにより接極子が鉄芯に吸引釈放される電磁石装置と、その電磁石装置に応動して開閉される接点装置とからなる電磁リレー本体と、電磁リレー本体を収容したハウジングと、ハウジングから突出した端子とを有して電磁リレーが構成されるとともに、その電磁リレーは、一端部を電磁リレー本体に接続してハウジングから突出させた端子が、プリント基板の導電回路にはんだ接続されるよう、ハウジングを直接当接させた状態でもってプリント基板に搭載される取付構造になっている。
【０００３】
そして、上記した従来の電磁リレーは、ハウジングから突出させた端子が、プリント基板の導電回路にはんだ接続されるよう、ハウジングを直接当接させた状態でもってプリント基板に搭載されるようになっているから、電磁石装置の接極子が鉄芯に吸引されて衝突したときや接点装置の接点が当接したとき等に電磁リレー本体から発生する動作音が、ハウジングを介してプリント基板に直接伝わり、電磁リレーを搭載したプリント基板ユニット全体として動作音が大きくなり、ひいては、そのプリント基板ユニットが静音化を必要とする車載用や防犯用等の装置に組み込まれると、その動作音が、より外部に漏れ易くなって問題となることがある。
【０００４】
そこで、図３に示す構造のものが提案されている。（特許文献１）
上記した課題を解決するために、本考案の電磁リレーは、電磁石装置及び接点装置を有する電磁リレー本体（図示せず）と、電磁リレー本体を収容したハウジング１００と、ハウジング１００から突出した端子１２０とを有し、プリント基板２００に搭載される電磁リレーにおいて、ハウジング１００全体を樹脂材製カバー４００により覆い、プリント基板２００と、樹脂材製カバー４００の間に、弾性体である振動吸収材３００を介在させる構成にしてある。
【０００５】
しかし、構造が複雑でコストが嵩むばかりでなく、騒音低減効果も不十分であった。この要因の一つは、端子１２０と振動吸収材３００との接触が不十分である為、端子１２０を介してプリント基板２００側へ伝わる騒音の伝播を有効に阻止できなかった。
【０００６】
また、図３の樹脂材製カバー４００の様な形状のゴムキャップにより、ハウジング１００の上面及び側面を覆う形状のものが提案されたが、端子１２０を介してプリント基板２００側へ伝わる騒音の伝播を有効に阻止できなかった。
また、樹脂材製カバー４００の様に、ハウジング１００の上面、下面及び側面の全体を覆う形状も考えられるが、ゴムキャップの生産性が悪く、取付作業にも多くの時間がかかり現実的では無かった。
【先行技術文献】
【特許文献】
【０００７】
【特許文献１】実開昭６０−１２６９５４号公報
【発明の開示】
【発明が解決しようとする課題】
【０００８】
端子を介してプリント基板側へ伝わる騒音の伝播を有効に阻止出来ると共に、安価にリレー用ゴムキャップを提供することを目的とする。
【課題を解決するための手段】
【０００９】
本発明のリレー用ゴムキャップは、電磁リレー本体を収容したハウジングと、前記ハウジングの下面から突出した端子と、前記端子が接続されるプリント基盤と、前記ハウジングを覆うゴムキャップとより成るリレー用ゴムキャップにおいて、前記ゴムキャップが、前記ハウジングの下面と前記プリント基盤の間に相互に密着した状態で配置されると共に、前記端子が貫通する貫通孔を形成した底部と、前記底部の周縁から前記ハウジングの側面全体を覆う筒状部とより構成され、前記貫通孔が前記端子に対し締め代を持って接していることを特徴とする。
【発明の効果】
【００１０】
本発明は、以下に記載されるような効果を奏する。
請求項１記載の発明のリレー用ゴムキャップによれば、ゴムキャップが、ハウジングの下面とプリント基盤の間に相互に密着した状態で配置されると共に、端子が貫通する貫通孔を形成した底部と、底部の周縁からハウジングの側面全体を覆う筒状部とより構成され、貫通孔が前記端子に対し締め代を持って接している構成としている為、端子を介してプリント基板側へ伝わる騒音の伝播を有効に阻止出来ると共に、安価に提供することが出来る。
更に、請求項２記載の発明のリレー用ゴムキャップによれば、筒状部がハウジングの側面と密着する構成としている為、ハウジングの側面から伝播する騒音を効果的に阻止出来る。
【図面の簡単な説明】
【００１１】
【図１】電磁リレー本体を収容したハウジングの立体斜視図。
【図２】図１に示すハウジングに、本発明に係るリレー用ゴムキャップを装着した断面図。
【図３】図２に示すものに、天板側カバーを被せた断面図。
【図４】本発明に係るリレー用ゴムキャップの底部に設けたリレー端子用の孔形状を示す部分平面図。
【図５】従来技術に係るリレー装置の断面図。
【発明を実施するための形態】
【００１２】
以下、本発明を実施するための態様について説明する。
本発明に係るリレー用ゴムキャップの態様は、図１に示される様に、電磁リレー本体を収容したハウジング１と、このハウジング１の下面１１から突出した端子１２を備えたものが準備される。
【００１３】
ついで、図２に示す様に、この端子１２が接続されるプリント基盤２と、ハウジング１を覆うゴムキャップ３とより成るリレー用ゴムキャップに組み立てられる。
このゴムキャップ３は、ハウジング１の下面１１とプリント基盤２の間に相互に密着した状態で配置されると共に、端子１２が貫通する貫通孔３１１を形成した底部３１と、底部３１の周縁からハウジング１の側面１３全体を覆う筒状部３２とより構成され、この貫通孔３１１が端子１２に対し、一定の締め代を持って接している。
【００１４】
この為、端子１２を介してプリント基板２側へ伝わる騒音の伝播を有効に阻止出来ると共に、ゴムキャップ３を安価に製造することが出来る。
この貫通孔３１１の端子１２に対する締め代は、０〜０．５ｍｍで、ゴムキャップ３の肉厚は、厚い程、騒音防止の効果が有るが、実用的には７ｍｍ以下である。
【００１５】
また、貫通孔３１１の孔形状は、図４ａに示す様に、端子１２の形状と相似の矩形に限らず、図４ｂに示す様に、複数個の突起３１２、３１２を設け、この突起３１２、３１２を一定の締め代を持って端子１２に接する形としても良い。
更に、図２に示す様に、筒状部３２がハウジング１の側面１３と密着する構成とする事により、ハウジングの側面から伝播する騒音を効果的に阻止出来る。
【００１６】
また、上記実施態様では、ハウジング１の上面を覆う形としていないが、図３に示す様にゴムキャップ３と同一材料の天板側カバー３３により、ハウジング１の上面を覆う形としても良い。
【００１７】
ゴムキャップ３の材質は、天然ゴム（ＮＲ）、エチレン・プロピレン・ジエンゴム（ＥＰＤＭ）、ブチルゴム、フッ素ゴム、ニトリルゴム、クロロプレン等のゴム状弾性材や、ポリエステル系エラストマー、熱可塑性ポリウレタン等の熱可塑性エラストマーから、適宜用途に合わせ選択して使用されるが、減衰効果の大きい硫黄フリーのブチルゴムが好ましい。
また、ゴムキャップ３の材質のｔａｎδは、０．３以上が好ましい。
【００１８】
また、本発明は上述の発明を実施するための最良の形態に限らず本発明の要旨を逸脱することなくその他種々の構成を採り得ることはもちろんである。
【産業上の利用可能性】
【００１９】
本発明に係るリレー用ゴムキャップは、静音化を必要とする車載用や防犯用等に使用されプリント基板に搭載される電磁リレーに使用される。
【符号の説明】
【００２０】
１    ハウジング
２    プリント基盤
３    ゴムキャップ
１１  下面
１２  端子
１３  側面
３１  底部
３２  筒状部
３３  天板側カバー
３１１貫通孔
３１２突起
【図１】
2014120358.tif 000003
【図２】
2014120358.tif 000004
【図３】
2014120358.tif 000005
【図４】
2014120358.tif 000006
【図５】
2014120358.tif 000007